(57)【要約】      （修正有）【課題】人手によるダンボール箱の梱包作業に適した、粘着テープ（以下ガムテープと称する）を用いた梱包装置を提供する。【解決手段】２対の金属枠１ａ，１ｂ，２ａ，２ｂでガムテープを挟み込むように構成され、該２本のフレームは、中心部分の位置に止めビスを設けて組み合わされ、該２本のフレーム上部に、各々握り棒取り付けフレームが取り付けられ、該２対の２本の一方のフレームの下部にカッター取り付けフレームが取り付けられ、該２対の他方のフレームの下端に、切断時にガムテープを押さえる為の弾性体５ａ，５ｂにより固定されているように構成される接着テープ装置であって、該２本のフレームで構成される２対の金属枠の１対には、スナップバネ９ａ、もう１対にはチェーンをもちいて、つないで接着テープ装置を構成する。【選択図】図１
0003154723.tif 000002
【実用新案登録請求の範囲】
【請求項１】
テープ装着部の中心を軸とし、対角線上に2本のフレームで構成される２対の金属枠でガムテープを挟み込むように構成され、該2本のフレームは、前記中心部分の位置に止めビスを設けて組み合わされ、回転自在とし、該2本のフレーム上部に、各々握り棒取り付けフレームが取り付けられ、該各々の握り棒取り付けフレームは上部で握り棒により固定されており、該2対の2本の一方のフレームの下部にカッター取り付けフレームが取り付けられ、該2対のフレームは該カッター取り付けフレームの下端で山形の刃が並ぶカッターにより固定されており、該2対の他方のフレームの下端に、切断時にガムテープを押さえる為の弾性体により固定されているように構成される接着テープ装置であって、該２本のフレームで構成される２対の金属枠の１対には、スナップバネ、もう１対にはチェーンをもちいて、つないでいることを特徴とする接着テープ装置。
【請求項２】
前記２対の金属枠の一方側に、各々凹形状の嵌合部を有することを特徴とする請求項１記載の接着テープ装置。
【請求項３】
前記弾性体は、2層構造であり、外側の層は内側の層よりも硬い弾性体であることを特徴とする請求項１記載の接着テープ装置。
【考案の詳細な説明】
【技術分野】
【０００１】
本発明は、接着テープを用いた梱包用装置に関するものである
【背景技術】
【０００２】
従来の接着テープは、接着するダンボールなどを手で押さえて、固定した後でテープを接着していた。また、ローラを用いてテープを押さえ、接着するようにしていた。
【特許文献１】特開2008-24368
【特許文献２】実開平6-59356
【考案の開示】
【考案が解決しようとする課題】
【０００３】
本発明は、ガムテープなどの接着テープ（以下「ガムテープ」という）で貼り合わせた後、切断する際、従来両手を用いてガムテープを切断した後、再び貼り合わせなくてはならなかった作業を簡単にできるようにすることを課題とする。また、ローラを用いるなど、大げさな装置にしないで、簡単に貼り合わせ作業をできるようにすることを課題とする。
【課題を解決するための手段】
【０００４】
テープ装着部の中心を軸とし、対角線上に2本のフレームで構成される２対の金属枠でガムテープを挟み込むように構成され、該2本のフレームは、前記中心部分の位置に止めビスを設けて組み合わされ、回転自在とし、該2本のフレーム上部に、各々握り棒取り付けフレームが取り付けられ、該各々の握り棒取り付けフレームは上部で握り棒により固定されており、該２対の2本の一方のフレームの下部にカッター取り付けフレームが取り付けられ、該2対のフレームは該カッター取り付けフレームの下端で山形の刃が並ぶカッターにより固定されており、該2対の他方のフレームの下端に、切断時にガムテープを押さえる為の弾性体により固定されているように構成される接着テープ装置であって、該２本のフレームで構成される２対の金属枠の１対には、スナップバネ、もう１対にはチェーンをもちいて、つないでいることを特徴とする接着テープ装置である。また、前記２対の金属枠の一方側に、各々凹形状の嵌合部を有することを特徴としており、前記弾性体は、2層構造であり、外側の層は内側の層よりも硬い弾性体であることを特徴とする接着テープ装置である。
【０００５】
２本のフレームで構成される２対の金属枠は各々スナップバネとチェーンで接続されており、金属枠が自然に開き、且つ開き過ぎないように維持している。これにより、金属枠は常に最も使用しやすい位置に維持される。
【０００６】
２対の金属枠の一方側に、おのおの凹形状の嵌合部を有することにより、ガムテープを装着する心棒をこの嵌合部にセットし、ガムテープがずれないようにすることができる。
【０００７】
金属枠先端部に取り付けられた弾性体は、金属枠への取り付け部分の内側は柔らかい弾性体であり、外側は内側よりも硬い弾性体である。この弾性体は２層構造であり、金属枠内側の部分は柔らかいもので、外側は硬いものである。ガムテープへの押さえ面側を硬い弾性体とすることで、ガムテープの押さえをスムーズにすることができる。
【０００８】
本発明では、他の切断道具を使用することなく、また、カッター刃の中央を山高にして、ガムテープ切断がスムーズにおこなわれるようにしている。
本発明は、ガムテープを切断する際、従来、カッターナイフや鋏等を必要としていたが、ストッパー部分を握ることにより、ガムテープを押さえて切断、また、その後は容易にガムテープの粘着面を離すことができる機能を有している。
【考案の効果】
【０００９】
本発明の接着テープ装置を用いることにより、力のないお年寄りや子供であっても、簡単にこのテープマシンひとつでガムテープを接着、切断させることができる。また、片手だけでも切断できるので、体が不自由な方でも、簡単に、切断、接着ができる。２層構造の弾性体を用いることにより、切断時にはガムテープをしっかり押さえ、また、切断後は粘着することなく容易に離すことができるので、一連の作業をスムーズに、かつ、簡単に行うことが出来る。
【考案を実施するための最良の形態】
【００１０】
図１に実施例を示す。金属枠はアルミ製である。押さえの弾性体５a、５bは2種類の市販のスポンジを用いており、５bは５aよりも硬い素材である。２対の金属枠は、各々別の役割になっており、１対はスナップバネ９aで金属枠を広げ、もう１対はチェーン９bにて金属枠が広がりすぎないよう握りやすい幅を確保している。本接着テープ装置の切断方法は、いわゆる鋏を使用するときと同じような動作を行うことで、片手のみでガムテープを切断することを可能としている。下部に刃が装着された棒６と、もう一方は切断時にガムテープを押さえる為のクッション５a、５bが装着された棒、この2本の上部を握ることにより片手のみで切断を可能にすることができる。
【００１１】
ガムテープ切断の際、従来、開発された様々な「ガムテープ切断器」は、ガムテープの粘着面が切断時にどうしても接触している箇所に接着してしまうという不具合があった。その不具合を解消する方法として、力を加えることも出来、また、容易に離すことも出来る素材として、接触面に2種類の市販のスポンジを用い、かつ接触面側が内側よりも硬いようにした2層構造とするように２種類のスポンジを用いることにより、その特性から、不具合を解消させることができる。
【００１２】
本発明の接着テープ装置は、流れ作業による大量の梱包作業に用いるよりは、一般家庭や事務所などで、人手によって行うダンボール箱の梱包作業に適しており、この接着テープ装置の効果が最も発揮できるものである。
【図面の簡単な説明】
【００１３】
【図１】接着テープ装置を斜め横から見た図
【図２】接着テープ装置を斜め横(図１の反対側)から見た図
【図３】ガムテープを装着している接着テープ装置の写真
【符号の説明】
【００１４】
１a  金属フレーム
1b  金属フレーム
２a  金属フレーム
２b  金属フレーム
３a  弾性体を有するアルミ管
３b  カッター刃を有するアルミ管
４a  握り棒
４b  握り棒
５a  硬い弾性体
５b  軟らかい弾性体
６   山型のカッターの刃
７a  ガムテープ装着心棒
７b  ガムテープ装着心棒  
８a  心棒をひっかける嵌合部
８b  心棒をひっかける嵌合部
９a  スナップバネ
９b  チェーン
１０  カッター取り付けフレーム
１１  握り棒取り付けフレーム
【図１】
0003154723.tif 000003
【図２】
0003154723.tif 000004
【図３】
0003154723.tif 000005